(57)【要約】      （修正有）【課題】ウェブログに商品記事を投稿するだけで当該商品のネット販売ができ、商品管理も自動的に管理可能とする。【解決手段】ウェブログのユーザが利用するユーザ端末、上記ウェブログ上の商品の購入者が利用する購入者端末と通信可能に構成され、上記ユーザの識別情報に関連付けて各ユーザのウェブログ情報を記憶する手段と、上記ウェブログで販売する商品情報を受信する手段と、上記受信した商品情報ごとに商品識別情報を発行する手段と、上記ユーザ識別情報に関連付けて、上記商品識別情報及び商品情報を記憶する手段と、上記ユーザの識別情報に関連付けて、ウェブログ情報及び商品情報とから、上記ユーザが投稿した商品情報を表示するウェブブログ画面を生成すると共に、上記ユーザのウェブログ画面上に、少なくとも、上記商品識別情報と関連付けられた決済用のアイコンを表示するウェブログ画面を生成するウ手段とを有することを特徴とする管理サーバ。【選択図】図６
2007140982.tif 000002
【特許請求の範囲】
【請求項１】
商品情報を含んだウェブログを掲載しているユーザが利用するユーザ端末、上記ウェブログに掲載されている商品を購入する購入者が利用する購入者端末と通信可能に構成されたサーバであって、
上記ユーザの識別情報に関連付けて各ユーザのウェブログ情報を記憶するウェブログ記憶手段と、
上記ユーザ端末から投稿された、上記ウェブログで販売する商品情報を受信する第1の受信手段と、
上記受信した商品情報ごとに商品識別情報を発行する商品識別情報発行手段と、
上記ユーザ識別情報に関連付けて、上記商品識別情報及び商品情報を記憶する商品情報記憶手段と、
上記ユーザの識別情報に関連付けて、上記ウェブログ記憶手段に記憶されているウェブログ情報及び、上記商品情報記憶手段に記憶されている商品情報とから、上記ユーザが投稿した商品情報を表示するウェブブログ画面を生成すると共に、上記ユーザのウェブログ画面上に、少なくとも、上記商品識別情報と関連付けられた決済用のアイコンを表示するウェブログ画面を生成するウェブブログページ生成手段と、
を有することを特徴とする管理サーバ。
【請求項２】
上記購入者端末は、上記ウェブログ画面上のアイコンが指示されることにより、上記ウェブログ情報中に記載されている送信先に対して、上記アイコンに関連付けられている商品識別情報を送信する機能を有しており、
ウェブログ画面上のアイコンが指示されることにより上記購入者端末から送信された商品識別情報を受信する第２の受信手段と、
上記商品情報記憶手段を参照して、上記受信した商品識別情報に関連付けられている商品情報に基づいて決済処理を行う、
請求項１記載の管理サーバ。
【請求項３】
上記第２の受信手段により受信した商品識別情報を格納する商品識別情報格納手段を有し、
上記決済処理手段は、上記決済処理要求を受信したときに、上記商品識別情報格納手段に格納されている商品識別情報に基づき、上記商品情報記憶手段を参照して決済処理する、
請求項２記載の管理サーバ。
【請求項４】
金融機関装置と通信可能に構成され、
上記決済処理手段は、上記金融機関装置が備える、
請求項２又は３記載の管理サーバ。
【請求項５】
商品情報を含んだウェブログを掲載しているユーザが利用するユーザ端末、上記ウェブログに掲載されている商品を購入する購入者が利用する購入者端末と通信可能に構成された管理サーバにより実行される方法であって、
上記ユーザの識別情報に関連付けて各ユーザのウェブログ情報をウェブログ記憶手段に記憶するステップと、
上記ユーザ端末から投稿された、上記ウェブログで販売する商品情報を受信するステップと、
上記受信した商品情報ごとに商品識別情報を発行するステップと、
上記ユーザ識別情報に関連付けて、上記商品識別情報及び商品情報を商品情報記憶手段に記憶するステップと、
上記ユーザの識別情報に関連付けて、上記ウェブログ記憶手段に記憶されているウェブログ情報及び、上記商品情報記憶手段に記憶されている商品情報とから、上記ユーザが投稿した商品情報を表示するウェブブログ画面を生成すると共に、上記ユーザのウェブログ画面上に、少なくとも、上記商品識別情報と関連付けられた決済用のアイコンを表示するウェブログ画面を生成するステップと、
を有することを特徴とするウェブログ管理方法。
【請求項６】
商品情報を含んだウェブログを掲載しているユーザが利用するユーザ端末、上記ウェブログに掲載されている商品を購入する購入者が利用する購入者端末と通信可能に構成された管理サーバとしてコンピュータを機能させるためのコンピュータプログラムであって、
コンピュータに対して、
上記ユーザの識別情報に関連付けて各ユーザのウェブログ情報をウェブログ記憶手段に記憶する処理と、
上記ユーザ端末から投稿された、上記ウェブログで販売する商品情報を受信する処理と、
上記受信した商品情報ごとに商品識別情報を発行する処理と、
上記ユーザ識別情報に関連付けて、上記商品識別情報及び商品情報を商品情報記憶手段に記憶する処理と、
上記ユーザの識別情報に関連付けて、上記ウェブログ記憶手段に記憶されているウェブログ情報及び、上記商品情報記憶手段に記憶されている商品情報とから、上記ユーザが投稿した商品情報を表示するウェブブログ画面を生成すると共に、上記ユーザのウェブログ画面上に、少なくとも、上記商品識別情報と関連付けられた決済用のアイコンを表示するウェブログ画面を生成する処理と、
を実行させるコンピュータプログラム。
【発明の詳細な説明】
【技術分野】
【０００１】
本発明は、ウェブログ上に商品情報を掲載して、商品の販売を行う技術に関する。
【背景技術】
【０００２】
インターネットの普及につれて、多くの人が個人のウェブログを利用している。しかし、ウェブログの日記は従来の紙の日記と異なり、その内容が広く一般に公開されており、他のサイトからリンクされたり論評されたりする。そうした背景の中で、ウェブログは独自の進化を遂げ、個人サイトでも紙の日記でもない新しいメディアとしてウェブログは成長してきた。
【０００３】
近年、ウェブログは日記という位置付けではなく、貴重な情報発信源と見られている。個人がウェブログを通じて情報や意見を発信することは一つのメディアとなり、ウェブログのコメントやトラックバックの機能を活用するとマスメディアとして影響力をもってきた。また、ウェブログの記事は、別のウェブログへリンクを貼った際に、リンク先の相手に対してリンクを貼ったことを通知するトラックバック機能により、ウェブログ同士のリンクが貼られ、検索結果で一番上にきやすい構文となっており、ビジネスをする上でとても高い効果が得られる。ウェブログは従来の日記という位置づけから、ビジネスチャンスをつかむツールとして社会を変えてきた。
【０００４】
一方、インターネットなどのネットワークを利用した電子商取引サービスは急激に成長し、Ｗｅｂサイトを介して消費者に製品やデジタルコンテンツを販売する電子商店、Ｗｅｂサイト上でオークションを行うオンラインオークションなど、その取引態様も多様化し、ビジネスの一形態として成熟期にある。
【０００５】
この点、ユーザが容易に高度なホームショッピングサービスを受けることができるように、オンライン端末装置でホームショッピングを行う際に、クライアントコンピュータからオンラインサーバにオンラインショッピングの開始を要求する旨のリクエストが送られると、オンラインサーバからは、購入する商品用の第一の入れ物であるショッピング用カートを表示するための情報が供給され、クライアントコンピュータ側では、ショッピング用カートを模した画像が表示される装置ないしは方法が提案されている（特許文献１参照）。
【０００６】
【特許文献１】特開２００１−２７３４２４号公報
【発明の開示】
【発明が解決しようとする課題】
【０００７】
ここで、ウェブログ利用者が自己のウェブログ上で商品販売を行うことができれば、従来のホームページ更新のような面倒な作業を要さずに、携帯等からメールにより商品記事を送るだけで、簡単にネット販売の機会を得ることができる。また、購入者からすれば、ウェブログ上では個人の情報や意見が活発に発信されているため、参考情報等が多く得られて、満足のいく買い物を行うことができる。
【０００８】
しかしながら、従来、ウェブログ上に簡単に物販のカートを設けることはできず、コマースサイト等へのリンクが貼られるに過ぎなかった。
そこで、本発明は、ウェブログに商品記事を投稿するだけで当該商品のネット販売ができ、商品管理も自動的に管理可能とすることを目的とする。更に、従来のホームページ更新のような面倒な作業はなく、携帯等によりメールを送るだけで商品情報の登録を可能とすることを目的とする。
【課題を解決するための手段】
【０００９】
上記目的を達成するため、本発明に係る管理サーバは、商品情報を含んだウェブログを掲載しているユーザが利用するユーザ端末、上記ウェブログに掲載されている商品を購入する購入者が利用する購入者端末と通信可能に構成されたサーバであって、上記ユーザの識別情報に関連付けて各ユーザのウェブログ情報を記憶するウェブログ記憶手段と、上記ユーザ端末から投稿された、上記ウェブログで販売する商品情報を受信する第1の受信手段と、上記受信した商品情報ごとに商品識別情報を発行する商品識別情報発行手段と、上記ユーザ識別情報に関連付けて、上記商品識別情報及び商品情報を記憶する商品情報記憶手段と、上記ユーザの識別情報に関連付けて、上記ウェブログ記憶手段に記憶されているウェブログ情報及び、上記商品情報記憶手段に記憶されている商品情報とから、上記ユーザが投稿した商品情報を表示するウェブブログ画面を生成すると共に、上記ユーザのウェブログ画面上に、少なくとも、上記商品識別情報と関連付けられた決済用のアイコンを表示するウェブログ画面を生成するウェブブログページ生成手段とを有することを特徴とする。
これにより、コメントが気軽に行えるウェブログ上に商品情報が投稿されるので、通常のＷｅｂサイトと違い、ウェブログ閲覧者からのコメントを参考に、顧客満足度を上げる対策につなげることができる。また、商品記事を投稿するだけで、商品情報が自動的に登録され、管理される。
【００１０】
また、上記購入者端末は、上記ウェブログ画面上のアイコンが指示されることにより、上記ウェブログ情報中に記載されている送信先に対して、上記アイコンに関連付けられている商品識別情報を送信する機能を有しており、ウェブログ画面上のアイコンが指示されることにより上記購入者端末から送信された商品識別情報を受信する第２の受信手段と、上記商品情報記憶手段を参照して、上記受信した商品識別情報に関連付けられている商品情報に基づいて決済処理を行ってもよい。
これにより、ウェブログ上から、商品の注文から決済までの処理を行うことができる。
【００１１】
また、上記第２の受信手段により受信した商品識別情報を格納する商品識別情報格納手段を有し、上記決済処理手段は、上記決済処理要求を受信したときに、上記商品識別情報格納手段に格納されている商品識別情報に基づき、上記商品情報記憶手段を参照して決済処理してもよい。
これにより、商品購入の決済を購入商品ごとではなく、一括して行うことができるので手間がかからず、便利である。
【００１２】
金融機関装置と通信可能に構成され、上記決済処理手段は、上記金融機関装置が備えてもよい。
これにより、決済処理を専門とする機関に当該処理を任せて、管理サーバの処理負担を軽減することができる。
【００１３】
また、本発明の別の観点に係るウェブログ管理方法は、商品情報を含んだウェブログを掲載しているユーザが利用するユーザ端末、上記ウェブログに掲載されている商品を購入する購入者が利用する購入者端末と通信可能に構成された管理サーバにより実行される方法であって、上記ユーザの識別情報に関連付けて各ユーザのウェブログ情報をウェブログ記憶手段に記憶するステップと、上記ユーザ端末から投稿された、上記ウェブログで販売する商品情報を受信するステップと、上記受信した商品情報ごとに商品識別情報を発行するステップと、上記ユーザ識別情報に関連付けて、上記商品識別情報及び商品情報を商品情報記憶手段に記憶するステップと、上記ユーザの識別情報に関連付けて、上記ウェブログ記憶手段に記憶されているウェブログ情報及び、上記商品情報記憶手段に記憶されている商品情報とから、上記ユーザが投稿した商品情報を表示するウェブブログ画面を生成すると共に、上記ユーザのウェブログ画面上に、少なくとも、上記商品識別情報と関連付けられた決済用のアイコンを表示するウェブログ画面を生成するステップとを有することを特徴とする。
【００１４】
また、本発明の別の観点に係るコンピュータプログラムは、商品情報を含んだウェブログを掲載しているユーザが利用するユーザ端末、上記ウェブログに掲載されている商品を購入する購入者が利用する購入者端末と通信可能に構成された管理サーバとしてコンピュータを機能させるためのコンピュータプログラムであって、コンピュータに対して、上記ユーザの識別情報に関連付けて各ユーザのウェブログ情報をウェブログ記憶手段に記憶する処理と、上記ユーザ端末から投稿された、上記ウェブログで販売する商品情報を受信する処理と、上記受信した商品情報ごとに商品識別情報を発行する処理と、上記ユーザ識別情報に関連付けて、上記商品識別情報及び商品情報を商品情報記憶手段に記憶する処理と、上記ユーザの識別情報に関連付けて、上記ウェブログ記憶手段に記憶されているウェブログ情報及び、上記商品情報記憶手段に記憶されている商品情報とから、上記ユーザが投稿した商品情報を表示するウェブブログ画面を生成すると共に、上記ユーザのウェブログ画面上に、少なくとも、上記商品識別情報と関連付けられた決済用のアイコンを表示するウェブログ画面を生成する処理とを実行させる。
【発明の効果】
【００１５】
このように、ウェブログ上への商品記事の投稿を可能としたことから、通常のＷｅｂサイトと違い、ウェブログの記事のコメントは気軽に行えるので、ウェブログ閲覧者からのコメントを参考に、顧客満足度を上げる対策につなげることができる。
また、商品販売をする場合、ウェブログに日記等の記事を投稿する要領で商品記事を投稿すれば、カートと商品管理を同時に反映させることができるし、更新作業も容易で、商品管理の手間がかからない。また、ＳＥＯ対策が不必要で、コメントやトラックバック機能でＰＲしたり、閲覧者の意見を収集することができる。
また、販売したい商品をウェブログの記事として投稿すると、商品管理を行うことができる。通常のコマースサイトのように、予め商品管理を別管理にて行う必要はなく、自動的に情報の登録・管理を同時に行うことができる。
【発明を実施するための最良の形態】
【００１６】
本発明の実施例を、図を参照して説明する。
図１は、本実施例に係るシステムの構成の概略を示す。同図に示すように、本システムは、管理サーバ１、ユーザ端末２、購入者端末３、及び金融機関装置４からなり、これらはインターネット回線を介して相互に通信可能に構成されている。
【００１７】
管理サーバ１は、ウェブログを管理するサーバであって、コンピュータにより構成されており、ＣＰＵ（Ｃｅｎｔｒａｌ  Ｐｒｏｃｅｓｓｉｎｇ  Ｕｎｉｔ）、ＣＰＵが実行するコンピュータプログラム、コンピュータプログラムなどを記憶するためのＲＡＭ、ＲＯＭなどの内部メモリ及びハードディスクドライブなどの外部記憶装置により、図１に示す機能ブロックを構成する。即ち、ユーザ情報ＤＢ１０（ＤＢは、「データベース」を意味する。以下、同じ。）、ウェブログＤＢ１１、商品情報ＤＢ１２、カート情報記憶部１３、購入者情報ＤＢ１４、情報処理部１５、ウェブログ編集処理部１６、通信処理部１７を構成する。
【００１８】
ユーザ情報ＤＢ１０は、ユーザの個人情報等をデータベース化したものであって、図２に示すように、ウェブログを所有するユーザを識別するため、ユーザ毎に発行されたユーザＩＤ３１、各ユーザを認証するためのパスワード３２、ユーザ固有のウェブログを識別するためのウェブログＩＤ３３、電子メールアドレス３４、口座番号３５、氏名３６、電話番号３７が記憶されている。
【００１９】
ウェブログＤＢ１１は、各ユーザが所有するウェブログをデータベース化したものであって、当該ウェブログは、所有者である各ユーザのユーザＩＤと関連付けて記憶できるようになっている。
【００２０】
商品情報ＤＢ１２は、ユーザによりウェブログへの投稿要求がされた商品情報をデータベース化したものであって、図３に示すように、商品毎に発行された商品ＩＤ４１、当該商品の在庫数４２、単価４３、画像４４（たとえば、ＪＰＥＧ画像などの静止画、又は動画）、ユーザＩＤ４５が記憶できるようになっている。
【００２１】
カート情報記憶部１３は、購入申込みに係る情報を購入者ごとにデータベース化したものであって、図４に示すように、購入者端末３ごとに発行されたカートＩＤ５１、購入者ＩＤ５２、カートに入れた商品の商品ＩＤ５３、当該商品の個数５４が記憶できるようになっている。
カートＩＤ５１は、管理サーバ１が購入者端末３から最初の購入申込みを受信した際に、購入者ごとに発行し、生成後は、決済終了までカート情報記憶部１３に記憶されると共に、購入者端末３からの商品購入申込みデータ中に含まれる。
【００２２】
購入者情報ＤＢ１４は、購入者の個人情報等をデータベース化したものであって、図５に示すように、決済等のために会員登録を行った購入者を識別するため、購入者ごとに発行された購入者ＩＤ６１、購入者を認証するためのパスワード６２、氏名６３、住所６４、口座番号６５が記憶されている。
【００２３】
情報処理部１５は、インターネット回線を介して、ユーザ端末２より入力されたユーザＩＤ、あるいは購入者端末３より入力された購入者ＩＤを、ユーザ情報ＤＢ１０及び購入者情報ＤＢ１４に記憶されているパスワードを参照して、ユーザ端末２や購入者端末３の認証を行う。
【００２４】
ウェブログ編集処理部１６は、ユーザ端末２から、記事や商品情報の投稿要求を受信した際に、当該記事や商品情報データを該当ユーザのウェブログに上書きして更新したり、ウェブログ上に商品購入申込みのためのアイコンを生成したりする。また、購入者端末３によりウェブログに掲載された商品が購入されることで変動する商品の在庫数を更新する処理を行う。
【００２５】
通信処理部１７は、所定のプロトコルに基づき、ユーザ端末２、購入者端末３及び金融機関装置４とのインターネットを介したデータ通信処理を実行する。
【００２６】
なお、ユーザ情報ＤＢ１０や購入者情報ＤＢ１４へのユーザ情報や購入者情報の登録は、通常、インターネットのＷｅｂページ上から、所定のフォーマットを用いて行うのが好適であるが、所定の用紙に記載した内容を、管理サーバ１側で直接、入力するようにしもよい。
また、ユーザＩＤ、商品ＩＤ、カートＩＤ、及び購入者ＩＤの発行は、受け付け順に昇順の番号を付すなどの所定の規則に基づいて行うことが可能である。
【００２７】
ユーザ端末２は、ウェブログを利用するユーザの端末であり、例えば、パーソナルコンピュータ、ＰＤＡ（Ｐｅｒｓｏｎａｌ  Ｄｉｇｉｔａｌ  Ａｓｓｉｓｔａｎｃｅ）、若しくは携帯電話機等であり、少なくとも、所定のＷｅｂブラウザによるインターネット通信や、メーラーによる電子メールの送受信が可能であって、インターネットを介したデータの入出力を行うためのディスプレイ、マウス、キーボードなどの入力又は出力手段を有する。
【００２８】
購入者端末３は、ウェブログを閲覧すると共に、ウェブログ上に掲載された商品を購入するために購入者が利用する端末であり、ユーザ端末２と同様、例えば、パーソナルコンピュータ、ＰＤＡ、若しくは携帯電話機等であり、少なくとも、所定のＷｅｂブラウザによるインターネット通信や、メーラーによる電子メールの送受信が可能であって、インターネットを介したデータの入出力を行うためのディスプレイ、マウス、キーボードなどの入力又は出力手段を有する。
【００２９】
金融機関装置４は、銀行やクレジットカード会社等の金融機関のコンピュータ装置であり、所定のネットワークを通じて通信が可能であって、上記管理サーバ１から決済処理に関する所定のデータを受信し、口座間の金銭の授受による決済処理をする決済処理部２０を有する。
【００３０】
決済処理部２０は、ウェブログ上に掲載された商品が、購入者端末３により購入される際に必要となる代金の決済処理を行うものであって、購入者の口座からユーザの口座へ商品購入代金を振り込むなどの処理を行う。
【００３１】
次に、図６及び図７を用いて、本実施例による管理サーバ１の処理フローを説明する。
まず、図６により、ユーザ端末２から商品情報を受信して、当該商品情報をウェブログに上書きして更新するまでの処理を説明する。
管理サーバ１は、管理サーバ１に通信を介してアクセスする端末があるか否か判別して待機し（Ｓ１０１）、アクセス要求を受信すると、当該端末に対して図８に示すトップページ１００を送信する（１０２）。
トップページ１００は、図８に示すように、ウェブログを所有するユーザがログインするためのユーザＩＤ入力欄１０１、当該ユーザのパスワード入力欄１０２、ユーザＩＤ入力欄１０１及びパスワード入力欄１０２に入力したデータを管理サーバ１に送信してログイン要求を送信するログインボタン１０３、ウェブログを所有しない人に対してウェブログを新規開設するための処理へ導く新規開設ボタン１０４等からなる。
【００３２】
なお、管理サーバ１は、ウェブログＤＢ１１に記憶されているウェブログを、図９に示すようにインターネットを介して公開しており、例えば、トップページからウェブログの閲覧要求を受信した場合には、ウェブログＤＢ１１に記憶されている、閲覧要求に係るウェブログを、当該閲覧要求を送信した端末に対して送信する。送信される閲覧用のウェブログのページ２００には、一般的なウェブログと同様、日記２０１などが表示されている。
【００３３】
ユーザ端末２がトップページ１００上から管理サーバ１にユーザＩＤ及びパスワードを送信してログイン要求を行うと、管理サーバ１は当該ログイン要求を受信し（Ｓ１０３）、情報処理部１５により、ユーザ情報ＤＢ１０を参照して、受信したユーザＩＤに対応するユーザＩＤが存在し、かつ、当該ユーザＩＤと関連付けられた適正なパスワードを受信したか否かを照合する（Ｓ１０４）。この結果、対応するユーザＩＤが存在しないか、あるいは、対応するユーザＩＤは存在するが、当該ユーザＩＤと関連付けられた適正なパスワードが入力されていないと判別した場合には、その旨のメッセージと共に、再度、入力して送信し直すよう要求する旨のメッセージを送信する（Ｓ１０５）。
【００３４】
一方、対応するユーザＩＤが存在し、かつ、当該ユーザＩＤと関連付けられたパスワードが入力されたものと判断された場合には、当該ユーザ端末２によるログインを受け付け、図１０に示される、当該ユーザ固有の編集ページ３００を送信する。
ユーザ固有の編集ページ３００には、ログインしたユーザのユーザＩＤ表示欄３０１、ログアウトするためのログアウトボタン３０２のほか、ウェブログを編集するための編集メニュー３０３がある。
【００３５】
ユーザは、編集ページ３００上から、編集メニュー３０３の商品投稿ボタン３０４をクリックすることで、管理サーバ１に対して商品情報の入力要求を送信することができる。
管理サーバ１は、当該入力要求を受信すると（Ｓ１０７）、図１１に示す商品情報入力ページ４００を送信する（Ｓ１０８）。
ユーザは、商品情報入力ページ４００上から商品情報の入力を行う。商品情報入力ページ４００には、商品情報入力欄として、商品名入力欄４０１、商品説明入力欄４０２、商品単価入力欄４０３、商品画像を添付する欄４０４が設けられており、ユーザは各項目を入力して、投稿ボタン４０５により商品情報を管理サーバ１に対して送信することができる。他方、キャンセル４０６ボタンにより入力を中止することができる。
【００３６】
管理サーバ１は、ユーザ端末２から商品情報を受信すると（Ｓ１０９）、必要事項が入力、あるいは添付されているかを判断する（Ｓ１１０）。必要事項が入力あるいは添付されていない場合には、再度、商品情報を入力するよう要求する旨の通知と共に、商品情報入力ページを当該ユーザ端末に送信して、ユーザに再入力を要求する（Ｓ１１１）。この際、既に入力された項目は、クリアせずに既入力の状態とするのがよい。なお、商品情報を受け付けるのに必要な入力事項は、任意に設定し得る。例えば、商品名は必要であるが、商品画像は入力されていなくてもよいといったように設定し得る。
【００３７】
一方、必要事項が全て入力等されている場合、若しくは再入力により必要事項が全て入力等された場合には、受信した商品情報に対して商品情報ＩＤを発行すると共に、当該商品情報を商品情報ＤＢ１２に記憶する処理を行う。
更に、ユーザＩＤと関連付けられたウェブログをウェブログＤＢ１１から抽出し（Ｓ１１２）、図１２に示すように出力されるよう、ウェブログ編集処理部１６により、商品情報を掲載したウェブログ画面を生成する（Ｓ１１３）。
図１２に示す商品情報付きのウェブログの表示画面５００には、日記等の欄５０１に加えて、商品情報欄５０２が設定される。商品情報欄５０２には、商品名５０３、商品画像５０４、商品説明５０５、商品単価５０６、商品の購入個数５０７の入力欄、及び、商品情報に係る商品の購入申込みをするためのカート表示ボタン５０８が設定される。
カート表示ボタン５０８は、クリックされることで、商品購入個数入力欄５０７中の個数データと商品ＩＤ、さらに、カートＩＤが発行されている場合には当該カートＩＤを含む商品購入申込み情報が管理サーバ１に送信されるよう設定されている。このカート表示ボタン５０８をクリックして商品購入申込み情報を管理サーバ１に送信することで、購入者は、商品の購入申込みを行うことができる。
【００３８】
続いて、図１２示すように商品情報が掲載されたウェブログ上から、購入者端末３により商品の購入が行われるまでの処理フローを図７を参照して説明する。
【００３９】
まず、管理サーバ１は、購入者端末３よりウェブログの閲覧要求を受信可能に待機し（Ｓ１１４）、閲覧要求を受信すると、ウェブログＤＢ１１から対象ウェブログのデータを抽出し（Ｓ１１５）、購入者端末３に対して、これを送信する（Ｓ１１６）。なお、以下においては、購入者端末３に対して送信されたウェブログは、図１２に示されるような、商品情報が投稿されたウェブログであるものとして説明する。
【００４０】
購入者端末３が、閲覧要求に係るウェブログを管理サーバ１から受信した後、購入者がウェブログ内の商品情報中の商品個数を入力して、「カートに入れる」ボタンをクリックすることで、購入者端末３から管理サーバ１に、商品購入申込み情報が送信されると、管理サーバ１はこれを受信し（Ｓ１１７）、受信したデータ中にカートＩＤが含まれているか否かを識別する（Ｓ１１８）。
【００４１】
カートＩＤが含まれていない場合は、まだ当該購入者端末３にカートＩＤが発行されていないので、情報処理部１５がカートＩＤを発行すると共に（Ｓ１１９）、受信した商品購入申込み情報からカート情報を生成し、カート情報記憶部１３に記憶する（Ｓ１２０）。
また、受信したデータ中にカートＩＤが含まれている場合は、既にカートＩＤが生成されているので、情報処理部１５がカート情報記憶部１３を参照して、当該カートＩＤと関連付けられているカート情報を抽出し、これに、新たに受信した商品購入申込み情報から生成したカート情報を書き加えて更新する（Ｓ１２０）。
そして、通信処理部１７が上記生成あるいは更新したカート情報を購入者端末３に対して送信し（Ｓ１２１）、カート情報に係る商品の注文要求を受信可能に待機する（Ｓ１２２）
【００４２】
購入者端末３に送信されたカート情報は、図１３に示すような形で、購入者端末３の表示画面中に表示される。即ち、カート情報として、購入者が購入申込みを行った商品の商品名６０１、当該商品についての単価６０２、注文数６０３、商品ごとの小計６０４、申込みに係る商品全ての合計金額６０５が示される。また、更に商品の購入申込み情報の追加を要求するための「買い物を続ける」ボタン６０６、商品の購入申込みを終了し、カート情報中の商品の注文を要求する「注文画面へ進む」ボタン６０７が表示される。両ボタン６０６、６０７がクリックされることで、管理サーバ１に当該要求が送信される。
【００４３】
購入者端末３により、カート情報画面６００上から、「買い物を続ける」ボタン６０６がクリックされた場合は、ウェブログを再度送信して、他のウェブログの閲覧要求や、新たな商品購入申込みを受信可能に待機する。
一方、「注文画面へ進む」ボタン６０７がクリックされた場合は、管理サーバ１は、カート情報に係る商品の注文要求を受信する（Ｓ１２２）。
【００４４】
管理サーバ１は、注文要求を受信すると、通信処理部１７が注文画面を購入者端末３に対して送信する（Ｓ１２３）。注文画面は、図１４に示すように、会員登録を行って購入者ＩＤの発行を受けている購入者が、自己の購入者ＩＤを入力する欄７０１、及びパスワードを入力する欄７０２、会員登録していない購入者が新規に会員登録するのに必要となる個人情報を入力するための、名前７０３、住所７０４、電話番号７０５、電子メールアドレス７０６を入力する欄、決済に関する情報として、決済種別７０７、クレジットカードによる決済の場合に必要なカード会社７０８、口座番号７０９、有効期限７１０を入力する欄、銀行振込による決済の場合の振込先表示７１１からなり、また、入力情報の送信ボタン７１２、キャンセルボタン７１３が表示されている。
【００４５】
購入者が、購入者端末３により注文画面７００上から各欄７０１〜７１０に注文情報を入力して、これを管理サーバ１に送信すると、管理サーバ１はこれを受信し、受信データ中に購入者ＩＤが含まれているか否かを判別する（Ｓ１２４）。
購入者ＩＤが含まれている場合には、購入者情報ＤＢ１４を参照して、当該購入者ＩＤと関連付けられた購入者情報を抽出し、当該購入者情報中のパスワードと、受信データ中のパスワードを照合する（Ｓ１２５）。
この結果、該当する購入者ＩＤが購入者情報ＤＢ１４に存在しないか、あるいは、該当する購入者ＩＤは存在するが、パスワードが間違っている場合には、購入者端末３に対して再度注文画面を送信すると共に、購入者ＩＤ及びパスワードを再入力するよう要求する旨の通知を送信する（Ｓ１２６）。
一方、購入者ＩＤが含まれていない場合には、情報処理部１５が、受信データ中の個人情報に対して、新たな購入者ＩＤを発行して、これらを関連付けて購入者情報ＤＢ１４に記憶する処理を行うことによって会員登録を行う（Ｓ１２７）。
【００４６】
購入者ＩＤとパスワードが正しく照合され、又は、新規に会員登録が行われると、通信処理部１７が、購入者情報ＤＢ１４から該当する購入者情報を、カート情報記憶部１３から該当するカート情報を、商品情報ＤＢ１２から該当する商品情報を、ユーザ情報ＤＢ１０から該当するユーザ情報を抽出して、これらを金融機関装置４に送信することで、決済処理を要求する（Ｓ１２８）。
【００４７】
金融機関装置４は、例えば、決済種別がクレジットカード支払である場合には、カート情報中に示された代金分を、購入者の口座からユーザの口座へと払い込む処理をして、決済処理を完了し、決済完了通知を電子メールにより管理サーバ１に送信する。
管理サーバ１は、上記決済完了通知を受信すると（Ｓ１２９）、商品を購入した購入者端末３、当該商品を掲載していたユーザ端末１に対して決済完了通知を電子メールにより送信する（Ｓ１３０）。
【００４８】
そして、販売された商品の個数に応じて、情報処理部１５が商品情報ＤＢ１２中の商品在庫数を更新する処理を行う。これに伴って、ウェブログ編集処理部１７によりウェブログ上の在庫数表示が更新される。なお、この際、在庫数が０になった場合に、ウェブログ中から商品情報を削除するようにしてもよい。
以上により、管理サーバ１による処理フローは終了する。
【００４９】
以上のような本実施例によれば、コメントが気軽に行えるウェブログ上に商品情報が投稿されるので、通常のＷｅｂサイトと違い、ウェブログ閲覧者からのコメントを参考に、顧客満足度を上げる対策につなげることができる。
また、商品記事を投稿すれば、カートと商品管理が同時に反映されるため、更新作業が容易で、商品管理の手間がかからない。また、ＳＥＯ対策が不必要で、コメントやトラックバック機能でＰＲしたり、閲覧者の意見を収集することができる。
また、販売したい商品をウェブログの記事として投稿すると、商品管理を行うことができる。通常のコマースサイトのように、予め商品管理を別管理にて行う必要はなく、自動的に情報の登録・管理を同時に行うことができる。
【００５０】
なお、上記処理フローにおける決済処理について、コンビニエンスストアでの支払いによる場合には、コンビニエンスストアで払込可能な払込書を作成し、これを購入者に郵送するなどすればよい。また、代引きの場合には、商品の受け渡しと共に代金を精算するようにすればよい。そして、上記代金を払込書、又は商品の受け渡しと共に受け取った後、ウェブログに商品を掲載していたユーザの口座に振り込んで、決済処理を行うことができる。
このように決済手段を複数設けることで、購入者の希望に応じた決済処理を行うことができ、購入者にとって便宜である。
【００５１】
また、管理サーバ１から金融機関装置４に対する決済処理要求により送信する情報は、ユーザ及び購入者の口座番号、注文商品の合計金額のみとしてもよい。
これにより、通信処理の負担が軽減される。
【００５２】
また、商品購入に際して、商品を購入する購入者の購入者端末３と管理サーバ１間、金融機関装置と４管理サーバ１間の通信は、ＳＳＬ（Ｓｅｃｕｒｅ  Ｓｏｃｋｅｔ  Ｌａｙｅｒ）等のプロトコルによる暗号通信によることができる。
これにより、端末間の通信において、ユーザや購入者の情報が漏洩するのを防止することができる。
【００５３】
また、本実施例においては、決済処理が金融機関装置４により行われたが、これを管理サーバ１において行うものとして構成してもよい。
これにより処理が迅速に行われる。
【図面の簡単な説明】
【００５４】
【図１】本発明の実施の例に係る管理サーバの機能ブロック図である。
【図２】本実施の例に係るユーザ情報ＤＢに記憶できるデータの例を示した図である。
【図３】本実施の例に係る商品情報ＤＢに記憶できるデータの例を示した図である。
【図４】本実施の例に係るカート情報記憶部に記憶できるデータの例を示した図である。
【図５】本実施の例に係る購入者情報ＤＢに記憶できるデータの例を示した図である。
【図６】本実施の例に係る管理サーバの処理フローを示した図である。
【図７】本実施の例に係る管理サーバの処理フローを示した図である。
【図８】公開されているウェブログのトップページの表示画面の一例を示す図である。
【図９】公開されている閲覧用のウェブログの表示画面の一例を示す図である。
【図１０】本実施の例に係る、ユーザ固有のウェブログの編集画面の一例を示す図である。
【図１１】本実施の例に係る、商品情報入力画面の一例を示す図である。
【図１２】本実施の例に係る、商品情報が入力されて、公開されているウェブログの表示画面の一例を示す図である。
【図１３】本実施の例に係る、カート情報の表示画面の一例を示す図である。
【図１４】本実施の例に係る、商品を注文するための必要事項を入力する注文画面の一例を示す図である。
【符号の説明】
【００５５】
１・・・管理サーバ、２・・・ユーザ端末、３・・・購入者端末、４・・・金融機関装置、１０・・・ユーザ情報ＤＢ、１１・・・ウェブログＤＢ、１２・・・商品情報ＤＢ、１３・・・カート情報記憶部、１４・・・購入者情報ＤＢ、１５・・・情報処理部、１６・・・ウェブログ編集処理部、１７・・・通信処理部、２０・・・決済処理部、１００・・・トップページ、２００・・・ウェブログの表示画面、３００・・・編集画面、４００・・・商品情報入力画面、５００・・・公開されているウェブログの表示画面、６００・・・カート情報の表示画面、７００・・・注文画面
【図１】
2007140982.tif 000003
【図２】
2007140982.tif 000004
【図３】
2007140982.tif 000005
【図４】
2007140982.tif 000006
【図５】
2007140982.tif 000007
【図６】
2007140982.tif 000008
【図７】
2007140982.tif 000009
【図８】
2007140982.tif 000010
【図９】
2007140982.tif 000011
【図１０】
2007140982.tif 000012
【図１１】
2007140982.tif 000013
【図１２】
2007140982.tif 000014
【図１３】
2007140982.tif 000015
【図１４】
2007140982.tif 000016